(57)【要約】ピペットを用いた揮発性液体の処理方法であって、前記揮発性液体よりも揮発性の低い低揮発性液体を前記吸入・吐出口から吸入する低揮発性液体吸入ステップ、前記低揮発性液体吸入ステップの後で、前記吸入・吐出口から空気を吸入する空気吸入ステップ、及び前記空気吸入ステップの後で、前記吸入・吐出口から前記揮発性液体を吸入する揮発性液体吸入ステップを含んでいる。
2018139132.tif 000002
【特許請求の範囲】
【請求項１】
シリンダ、前記シリンダ内において摺動するピストン、及び吸入・吐出口をもち前記シリンダの先端に装着されたチップを備え、前記ピストンの動作に応じて前記チップの前記吸入・吐出口からの液の吸入と吐出を行なうピペットを用いた揮発性液体の処理方法であって、
前記揮発性液体よりも揮発性の低い低揮発性液体を前記吸入・吐出口から吸入する低揮発性液体吸入ステップと、
前記低揮発性液体吸入ステップの後で、前記吸入・吐出口から空気を吸入する空気吸入ステップと、
前記空気吸入ステップの後で、前記吸入・吐出口から前記揮発性液体を吸入する揮発性液体吸入ステップと、を含む処理方法。
【請求項２】
前記低揮発性液体は、水、ジメチルスルホキシド、グリセリン、フェノール又はトルエンのいずれかである請求項１に記載の処理方法。
【請求項３】
前記揮発性液体は、アセトニトリル、メタノール、エタノール、アセトン、トルエン、イソプロパノール、ヘキサン、ブタノール、シクロヘキサン、エチレングリコール、ベンゼン、クロロホルム、アセトアルデヒド、トリエチルアミン、フェノール、ナフタレン、ホルムアルデヒド、テトラヒドロフラン又は酢酸エチルのいずれかの液体又はこれらを１０％以上含む液体である請求項１又は２に記載の処理方法。
【請求項４】
鉛直向きに配置されたシリンダ、前記シリンダ内において上下方向に摺動するピストン、及び先端に吸入・吐出口をもちその吸入・吐出口が下方を向くように前記シリンダの下端に装着されたチップを備え、前記ピストンの動作に応じて前記チップの前記吸入・吐出口からの液の吸入と吐出を行なうピペットと、
前記ピペットを動作させる駆動機構と、
揮発性液体を収容した揮発性液体容器と、
前記揮発性液体よりも揮発性の低い低揮発性液体を収容した低揮発性液体容器と、
前記駆動機構を制御する制御部と、を備え、
前記制御部は、前記ピペットによって前記揮発性液体を吸入する過程において、前記低揮発性液体容器から予め設定された量の前記低揮発性液体を吸入する低揮発性液体吸入動作、前記低揮発性液体吸入動作の後で前記吸入・吐出口から予め設定された量の空気を吸入する空気吸入動作、及び前記空気吸入動作の後で前記揮発性液体容器から所定量の前記揮発性液体を吸入する揮発性液体吸入動作が実行されるように前記駆動機構を制御するように構成されている液体処理装置。
【請求項５】
前記低揮発性液体は、水、ジメチルスルホキシド、グリセリン、フェノール又はトルエンのいずれかである請求項４に記載の液体処理装置。
【請求項６】
前記揮発性液体は、アセトニトリル、メタノール、エタノール、アセトン、トルエン、イソプロパノール、ヘキサン、ブタノール、シクロヘキサン、エチレングリコール、ベンゼン、クロロホルム、アセトアルデヒド、トリエチルアミン、フェノール、ナフタレン、ホルムアルデヒド、テトラヒドロフラン又は酢酸エチルのいずれかの液体又はこれらを１０％以上含む液体である請求項４又は５に記載の液体処理装置。
【発明の詳細な説明】
【技術分野】
【０００１】
本発明は、空気置換式のピストン式ピペットを用いた揮発性液体の処理方法と、その処理方法を実行する液体処理装置に関するものである。
【背景技術】
【０００２】
理化学実験において液体を測り取って分注するために、空気置換式のピストン式ピペットが汎用されている。ピストン式ピペットは、ピストンをシリンダ内で上下することによってシリンダ内へ空気を出し入れすることができる構造で、ピストンを上下する距離を調節することにより、シリンダの先端に装着されたチップ内に液体を正確に測り採ることができる。【０００３】
ピストン式ピペットを電動で動作させる装置も各社で販売されており、そのような装置は連続吸入や連続吐出が可能である。そのような自動分注装置として、Agilent社のBravo、Affymetrix社のNIMBUS、エッペンドルフ社のepMotion、Hamilton社のMicrolab、Beckman Coulter社のBiomakなどがある。【０００４】
ピストン式ピペットは、空気を出し入れすることによって液体を計量する仕組みのため、揮発性の低い水などの液体については正確な計量が可能である一方で、アセトニトリル（ＡＣＮ）やアセトンなどの揮発性の高い液体は、吸入後に吸入・吐出口から液漏れが発生し易く、正確な計量が困難であるという問題があった。その理由としては、揮発性の高い液体を吸入・吐出口から吸入したときに、その揮発性液体の蒸気によってピペットのシリンダ内圧が変化したり、蒸発による気化熱によってシリンダ内の温度が変化したりすることで、シリンダ内に存在する空気が膨張して揮発性液体が押し出されてしまうことが考えられる。このことは、非特許文献１においても発表されている。
【先行技術文献】
【非特許文献】
【０００５】
【非特許文献１】第８２回  日本分析化学会有機微量分析研究懇談会・第９８回  計測自動制御学会力学量計測部会  合同シンポジウム(第３２回 発表資料)  テーマ：マイクロピペットを利用した分注操作について
【非特許文献２】https://ocw.kyoto-u.ac.jp/ja/faculty-of-agriculture-jp/5129000/pdf/03.pdf
【非特許文献３】https://www.aandd.co.jp/adhome/pdf/tech_doc/analytical/pipette_guide.pdf
【発明の概要】
【発明が解決しようとする課題】
【０００６】
上記のように、ピペットなどで揮発性液体を取り扱う場合、吸入時に液体が揮発することによってチップやシリンダ内の空気層が膨張して圧力が高まり、液体が外に押し出される現象が起きる。この現象は液漏れ、または液だれと呼ばれる。このことにより、液体の正確な計量ができなくなる。【０００７】
揮発性液体の揮発による影響を小さくするため方法として、揮発性液体の計量前にその液体の吸入と吐出を複数回繰り返し、揮発した液体分子で空気層を飽和させることも提案されている（非特許文献２及び３参照。）。しかし、そのような方法を採用した場合、吸入・吐出口からの液漏れ速度を減速させることはできたものの、液漏れを完全になくすことはできていない。【０００８】
また、上記方法は、計量対象の液体をわざと揮発させてシリンダ内の空気層を飽和させるものであるため、計量対象の液体量が蒸発によって減少してしまうという問題がある。例えば、計量対象の液体量が５００μＬ存在する場合であれば、２μＬ程度が揮発して４９８μＬになったとしても、その減少量は４％程度であり影響は小さいといえる。しかし、計量対象の液体が例えば５μＬなど微量しか存在しない場合、５μＬのうち２μＬ程度が揮発して３μＬになってしまうと、約４０％もの液体が減少してしまったことになり、影響が非常に大きくなる。【０００９】
したがって、特に数μＬしかないような微量な揮発性液体を取り扱う場合に、上記の方法は採用することができない。【００１０】
そこで、本発明は、揮発性液体の揮発に起因したピペットからの液漏れを抑制することを目的とするものである。
【課題を解決するための手段】
【００１１】
本発明に係る処理方法は、シリンダ、前記シリンダ内において摺動するピストン、及び吸入・吐出口をもち前記シリンダの先端に装着されたチップを備え、前記ピストンの動作に応じて前記チップの前記吸入・吐出口からの液の吸入と吐出を行なうピペットを用いた揮発性液体の処理方法である。この処理方法は、以下のステップを含んでいる。
前記揮発性液体よりも揮発性の低い低揮発性液体を前記吸入・吐出口から吸入する低揮発性液体吸入ステップ、
前記低揮発性液体吸入ステップの後で、前記吸入・吐出口から空気を吸入する空気吸入ステップ、及び
前記空気吸入ステップの後で、前記吸入・吐出口から前記揮発性液体を吸入する揮発性液体吸入ステップ。【００１２】
本発明に係る液体処理装置は、ピペットを用いて上記の処理方法を実行するように構成された装置であり、鉛直向きに配置されたシリンダ、前記シリンダ内において上下方向に摺動するピストン、及び先端に吸入・吐出口をもちその吸入・吐出口が下方を向くように前記シリンダの下端に装着されたチップを備え、前記ピストンの動作に応じて前記チップの前記吸入・吐出口からの液の吸入と吐出を行なうピペットと、前記ピペットを動作させる駆動機構と、揮発性液体を収容した揮発性液体容器と、前記揮発性液体よりも揮発性の低い低揮発性液体を収容した低揮発性液体容器と、前記駆動機構を制御する制御部と、を備えている。前記制御部は、前記ピペットによって前記揮発性液体を吸入する過程において、前記低揮発性液体容器から予め設定された量の前記低揮発性液体を吸入する低揮発性液体吸入動作、前記低揮発性液体吸入動作の後で前記吸入・吐出口から予め設定された量の空気を吸入する空気吸入動作、及び前記空気吸入動作の後で前記揮発性液体容器から所定量の前記揮発性液体を吸入する揮発性液体吸入動作が実行されるように前記駆動機構を制御するように構成されている。【００１３】
本発明における低揮発性液体とは、沸点が９５℃以上であり、常温（２０℃±１５℃）で液体の状態である物質のことを意味する。そのような低揮発性液体として、例えば、水、ジメチルスルホキシド、グリセリン、フェノール、トルエンが挙げられる。【００１４】
本発明における揮発性液体とは、沸点が５０〜９５℃の範囲内であり、常温（２０℃±１５℃）で液体の状態である物質、又はそのような物質を１０％以上含む液体のことを意味する。沸点が５０〜９５℃の範囲内であり、常温（２０℃±１５℃）で液体の状態である物質として、例えば、アセトニトリル、メタノール、エタノール、アセトン、トルエン、イソプロパノール、ヘキサン、ブタノール、シクロヘキサン、エチレングリコール、ベンゼン、クロロホルム、アセトアルデヒド、トリエチルアミン、フェノール、ナフタレン、ホルムアルデヒド、テトラヒドロフラン、酢酸エチルが挙げられる。
【発明の効果】
【００１５】
本発明に係る揮発性液体の処理方法では、揮発性液体よりも揮発性の低い低揮発性液体と空気の吸入（以下、プレ吸入という。）を行なった後で揮発性液体を吸入するので、プレ吸入を行なわない場合に比べて、ピペットに吸入された揮発性液体の上側に存在する空気層の体積が小さくなる。これにより、揮発性液体の揮発に起因して膨張する空気層の膨張体積が小さくなるため、プレ吸入を行なわない場合に比べて、ピペットからの揮発性液体の液漏れが起こりにくくなり、揮発性液体の計量精度が向上する。【００１６】
本発明に係る液体処理装置は、ピペットを駆動する駆動機構の制御を行なう制御部が、ピペットによって揮発性液体を吸入する過程において、上述のプレ吸入を実行した後で揮発性液体の吸入を行なうように構成されているので、ピペットからの揮発性液体の液漏れが起こりにくくなり、揮発性液体の計量精度が向上する。
【図面の簡単な説明】
【００１７】
【図１】液体処理装置の一実施例を示す概略構成図である。
【図２】同実施例による液体吸入時の一連の動作の一例を示すフローチャートである。
【図３】同実施例による液体吸入後のチップ内の状態を概略的に示す
【図４】プレ吸入を行なった場合とプレ吸入を行なわなかった場合のチップ内の液体残量を比較するための画像図であり、（Ａ）はプレ吸入を行なった場合、（Ｂ）はプレ吸入を行なわなかった場合である。
【図５】プレ吸入を行なった場合とプレ吸入を行なわなかった場合についての段階希釈によるペプチド検量線を示すグラフである。
【図６】空気層体積を２μＬにしてプレ吸入を行なった場合のチップ内の液体残量を示す画像図である。
【図７】空気層体積を３μＬにしてプレ吸入を行なった場合のチップ内の液体残量を示す画像図である。
【図８】空気層体積を５μＬにしてプレ吸入を行なった場合のチップ内の液体残量を示す画像図である。
【図９】空気層体積を１０μＬにしてプレ吸入を行なった場合のチップ内の液体残量を示す画像図である。
【図１０】空気層体積を５０μＬにしてプレ吸入を行なった場合のチップ内の液体残量を示す画像図である。
【図１１】空気層体積を１００μＬにしてプレ吸入を行なった場合のチップ内の液体残量を示す画像図である。
【図１２】空気層体積を１５０μＬにしてプレ吸入を行なった場合のチップ内の液体残量を示す画像図である。
【発明を実施するための形態】
【００１８】
以下、本発明に係る揮発性液体の処理方法とその処理方法を実行する液体処理装置の一実施例について、図面を用いて説明する。
【００１９】
まず、図１を用いて、液体処理装置の一実施例について説明する。
【００２０】
この実施例の液体処理装置は、複数のピペット２が一列に並んだ状態でホルダ１０によって保持されている。ピペット２は、鉛直向きに配置されたシリンダ４と、シリンダ４内において上下方向へ摺動するピストン６と、シリンダ４の下端に装着されたチップ８を備えている。チップ８は先端に吸入・吐出口を有し、その吸入・吐出口が鉛直下方を向いている。
【００２１】
各ピペット２は、ピストン４の上方向への動作に伴ってチップ８の吸入・吐出部から液体や気体を吸入し、ピストン４の下方向への動作に伴ってチップ８の吸入・吐出部から液体や気体を吐出するようになっている。また、ピペット２は水平面内方向と鉛直方向へ移動し、所望の容器に対し液体の吸入と吐出を行なうようになっている。この実施例では、すべてのピペット２が共通のホルダ１０によって保持されており、ホルダ１０が水平面内方向と鉛直方向へ移動することによって、各ピペット２が水平面内方向と鉛直方向へ移動する。
【００２２】
駆動機構１２は、ピストン４を動作させるための機構と、ホルダ１０を移動させるための機構を含むものである。駆動機構１２の動作は制御部１４によって制御される。制御部１４は、汎用のパーソナルコンピュータ又は専用のコンピュータによって実現されるものである。
【００２３】
ピペット２よりも下方の位置に、揮発性液体が収容された複数の揮発性液体容器１６と、低揮発性液体が収容された複数の低揮発性液体容器１８が、各ピペット２に対応するように設けられている。
【００２４】
揮発性液体容器１６に収容される揮発性液体としては、アセトニトリル、メタノール、エタノール、アセトン、トルエン、イソプロパノール、ヘキサン、ブタノール、シクロヘキサン、エチレングリコール、ベンゼン、クロロホルム、アセトアルデヒド、トリエチルアミン、フェノール、ナフタレン、ホルムアルデヒド、テトラヒドロフラン、酢酸エチルなどの液体のほか、そのような液体を１０％以上含む液体が挙げられる。
【００２５】
低揮発性液体容器１８に収容される低揮発性液体としては、水、ジメチルスルホキシド、グリセリン、フェノール、トルエンが挙げられる。低揮発性液体容器１８に収容された低揮発性液体は、ピペット２によって上記の揮発性液体を測り採る際に用いられる。
【００２６】
制御部１４は、液体を吸入する際に以下の動作が実行されるように駆動機構１２を制御するように構成されている。液体を吸入する一連の動作について、図２のフローチャートを図１とともに用いて説明する。
【００２７】
液体の吸入動作を開始する際、まず吸入対象の液体が揮発性液体であるか否かを確認する。揮発性液体であるか否かの確認をするために、例えば、制御部１４に設けられたデータメモリなどの記憶領域に揮発性液体のリストが記憶されており、吸入対象の液体をそのリストと照合することによって吸入対象の液体が揮発性液体であるか否かを判定する。
【００２８】
吸入対象の液体が揮発性液体でなければ、その液体を各ピペット２の先端の吸入・吐出口から所定量だけ吸入する。これにより、各ピペット２の先端に装着されたチップ８内に、吸入対象の液体が所定量だけ測り採られる。各チップ８内に測り採られた液体はその後、所定の分注容器に分注される。
【００２９】
他方、吸入対象の液体が揮発性液体である場合は、まず低揮発性液体吸入動作を実行する。低揮発性液体吸入動作では、ピペット２を対応する低揮発性液体容器１８の位置へ移動させて各チップ８の先端を低揮発性液体容器１８内に挿入し、各低揮発性液体容器１８から予め設定された量の低揮発性液体を吸入する。
【００３０】
上記の低揮発性液体吸入動作が完了した後、空気吸入動作を実行する。空気吸入動作では、各ピペット２の先端のチップ８を低揮発性液体容器１８から引き抜いた状態で各ピペット２を吸入駆動し、各ピペット２に予め設定された量の空気を吸入させる。これにより、ピペット２内の低揮発性液体層の下方に空気層が形成される。以下において、低揮発性液体吸入動作と空気吸入動作を合わせて「プレ吸入」と称する。
【００３１】
上記のプレ吸入の後で、揮発性液体吸入動作を実行する。揮発性液体吸入動作では、ピペット２を吸入対象の揮発性液体が収容された揮発性液体容器１６の位置へ移動させ、各揮発性液体容器１６から所定量の揮発性液体を吸入する。
【００３２】
このように、低揮発性液体吸入動作、空気吸入動作及び揮発性液体吸入動作を順に実行することにより、すなわち揮発性液体吸入動作の前にプレ吸入を行なうことにより、図３（Ａ）に示されているように、ピペット２のチップ８内に、チップ８の基端側から低揮発性液体の層、空気層、揮発性液体の層が形成される。
【００３３】
上記のプレ吸入を行なわずに揮発性液体をチップ８の先端から吸入すると、図３（Ｂ）に示されているように、揮発性液体とピストン６との間に膨大な体積の空気層が存在することになる。揮発性液体とピストン６との間の空気層の体積が大きいと、揮発性液体の揮発の影響によってその空気層が大きく膨張し、それによって揮発性液体が押し出されて液漏れが発生する。
【００３４】
この実施例では、揮発性液体吸入動作の前にプレ吸入を行なうことによって、揮発性液体の揮発によって膨張し得る空気層の体積がプレ吸入を行なわない場合よりも小さくなるので、揮発性液体の揮発の影響による空気層の膨張体積も小さくなり、チップ８の先端から液漏れが発生しにくくなる。
【００３５】
図４はプレ吸入を行なった場合（Ａ）、プレ吸入を行なわなかった場合（Ｂ）のそれぞれの、７０％ＡＣＮ溶液を吸入した直後（０秒）と７０％ＡＣＮ溶液を吸入してから６０秒経過後のチップを撮像した画像図である。
【００３６】
この検証では、液体処理装置として自動分注装置Bravo（Agilent社の製品）を用い、チップとして２‐２５０μＬ用のものを装置のピペット先端に装着した。（Ａ）の「プレ吸入あり」では、まず低揮発性液体としての水を１０μＬ吸入した後で３μＬの空気を吸入（プレ吸入）し、その後で、７０％ＡＣＮ溶液(７０％ＡＣＮ／３０％Ｈ２Ｏ v/v)を２μＬ吸入した。（Ｂ）の「プレ吸入なし」では、プレ吸入を行なうことなく７０％ＡＣＮ溶液(７０％ＡＣＮ／３０％Ｈ２Ｏ v/v)を２μＬ吸入した。
【００３７】
この検証の結果、「プレ吸入あり」の場合も「プレ吸入なし」の場合も、７０％ＡＣＮ溶液の吸入直後（０秒）はチップの先端に同程度の７０％ＡＣＮ溶液が存在している。しかし、７０％ＡＣＮ溶液を吸入してから６０秒を経過した後（６０秒後）では、「プレ吸入あり」ではチップの先端の７０％ＡＣＮ溶液はほとんど減少しておらず、チップの先端からの液漏れも観察されなかったのに対し、「プレ吸入なし」ではチップの先端の７０％ＡＣＮ溶液が大幅に減少し、チップの先端からの液漏れが確認された。したがって、この検証結果から、プレ吸入を行なうことによって、チップの先端からの液漏れを抑制することができることが確認された。
【００３８】
図５は、プレ吸入を行なった場合とプレ吸入を行なわなかった場合の段階希釈によるペプチド検量線の検証結果を示すグラフである。実線がプレ吸入を行なった場合であり、破線がプレ吸入を行なわなかった場合である。
【００３９】
この検証では、７０％アセトニトリル（ＡＣＮ）溶液に溶解しているＡβ１−３８ペプチド（２０００ａｍｏｌ/μＬ）を７０％ＡＣＮ溶液で段階希釈した。理論的には、Ａβ１−３８ペプチドの濃度は１０００ａｍｏｌ/μＬ、５００ａｍｏｌ/μＬ、２５０ａｍｏｌ/μＬ、１２５ａｍｏｌ/μＬ、６２，５ａｍｏｌ/μＬとなる。７０％ＡＣＮ溶液には、質量分析計（ＭＡＬＤＩ−ＴＯＦ  ＭＳ）で計測したＡβ１−３８シグナルを標準化（Normalize）するための内部標準として、安定同位体標識したＡβ１−３８ペプチド（ＳＩＬ−Ａβ１−３８）２５０ａｍｏｌ/μＬを溶解させている。それぞれの方法で希釈した溶液を１μＬずつμFocus MALDI plateTM ９００μｍへ滴下して、乾固させた。各溶液につき３well滴下し、その後、ＭＡＬＤＩ―ＴＯＦ  ＭＳで計測した。
【００４０】
マススペクトルデータはAXIMA Performance (Shimadzu/KRATOS, Manchester, UK)を用いて、ポジティブイオンモードのLinear TOFで取得した。Linear TOFのｍ／ｚ値はピークのアベレージマスで表示した。ｍ／ｚ値は外部標準としてhuman angiotensin IIとhuman ACTH fragment 18-39、bovine insulin oxidized beta-chain、bovine insulinを用いてキャリブレーションした。
【００４１】
得られたＡβ１−３８の信号をＳＩＬ−Ａβ１−３８の信号で標準化したものを標準化強度（Normalized intensity）とした。Ａβ１−３８濃度と標準化強度を用いて検量線を作成し、プレ吸入を行なった場合とプレ吸入を行なわなかった場合とで比較した。プレ吸入を行なわなかった場合、濃度を２倍希釈したときの標準化強度が２分の１よりも大きく下がっており、直線性を描けていない。一方、プレ吸入を行なった場合には、濃度を２倍希釈したときに標準化強度も２分の１に減少しており、直線性が描けている。直線回帰式における決定係数（Ｒ２）は通常法がＲ２＝０．９７１８であるのに対して、プレ吸入を行なった場合にはＲ２＝０．９９９３であることから、プレ吸入を行なうことによって直線にフィッティングすることが示された。この結果は、プレ吸入を行なわない場合には、液漏れによって意図した量よりも少ない量の溶液しか注入されておらず、プレ吸入を行なった場合にはその液漏れが抑制されて、意図した量と同程度の溶液が正確に注入されていることを示している。
【００４２】
以上の結果から、プレ吸入を行なうことにより、ピペット２の先端からの液漏れが抑制され、揮発性液体の計量精度を向上させられることが示された。
【００４３】
図６〜図１２は、プレ吸入における空気吸入量と液漏れ抑制効果との関係についての検証結果を示す画像図である。これらの画像は、シリンダの下端に取り付けられたチップを斜め下方から撮像したものである。この検証では、プレ吸入として、水を１０μＬ吸入した後で空気を２μＬ（図６）、３μＬ（図７）、５μＬ（図８）、１０μＬ（図９）、５０μＬ（図１０）、１００μＬ（図１１）、１５０μＬ（図１２）吸入した後、７０％ＡＣＮ溶液を２μＬ吸入し、その後６０秒が経過したときのチップ内の状態を観察した。
【００４４】
この検証では、空気吸入量が１０μＬ以下の場合には、吸入後６０秒が経過した後もチップ内の７０％ＡＣＮ溶液にほとんど減少が見られず、液漏れが抑制されていることがわかった。しかし、空気吸入量が５０μＬや１００μＬの場合には、吸入後６０秒でチップ内の７０％ＡＣＮ溶液の減少が見られ、液漏れが発生していることがわかった。
【００４５】
この検証から、プレ吸入を行なうことによって揮発性液体の液漏れを抑制することはできるものの、低揮発性液体と揮発性液体の間の空気層の体積が大きくなると、揮発性液体の揮発の影響による膨張体積が大きくなり、液漏れ抑制効果が低下することが確認された。この検証で用いた条件では、空気吸入量が１０μＬ以下であれば、揮発性液体の減少量が吸入量の１０％以内に抑えられ、十分な液漏れ抑制効果を得ることができることが確認された。なお、プレ吸入での空気吸入量は揮発性液体の揮発度や吸入量に応じて適当な量に調整することができる。
【００４６】
以上においては、複数のピペット２を備えた液体処理装置を例に挙げて説明しているが、本発明の処理方法及び液体処理装置はこれに限定されず、１つのピペットのみを用いる処理方法及び液体処理装置に対しても適用することができる。
【００４７】
また、本発明の処理方法は、上記実施例のような液体処理装置においてのみ実施されるものではなく、ピペットを手作業で扱って液体の処理を行なう場合においても実施することができるものである。
【符号の説明】
【００４８】
２      ピペット
４      シリンダ
６      ピストン
８      チップ
１０      ホルダ
１２      駆動機構
１４      制御部
１６      揮発性液体容器
１８      低揮発性液体容器
【図１】
2018139132.tif 000003
【図２】
2018139132.tif 000004
【図３】
2018139132.tif 000005
【図４】
2018139132.tif 000006
【図５】
2018139132.tif 000007
【図６】
2018139132.tif 000008
【図７】
2018139132.tif 000009
【図８】
2018139132.tif 000010
【図９】
2018139132.tif 000011
【図１０】
2018139132.tif 000012
【図１１】
2018139132.tif 000013
【図１２】
2018139132.tif 000014
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
シリンダ、前記シリンダ内において摺動するピストン、及び吸入・吐出口をもち前記シリンダの先端に装着されたチップを備え、前記ピストンの動作に応じて前記チップの前記吸入・吐出口からの液の吸入と吐出を行なうピペットを用いた揮発性液体の処理方法であって、
前記揮発性液体よりも揮発性の低い低揮発性液体を前記吸入・吐出口から吸入する低揮発性液体吸入ステップと、
前記低揮発性液体吸入ステップの後で、前記吸入・吐出口から空気を吸入する空気吸入ステップと、
前記空気吸入ステップの後で、前記吸入・吐出口から前記揮発性液体を吸入する揮発性液体吸入ステップと、を含む処理方法。
【請求項２】
前記低揮発性液体は、水、ジメチルスルホキシド、グリセリン又はフェノールのいずれかである請求項１に記載の処理方法。
【請求項３】
前記揮発性液体は、アセトニトリル、メタノール、エタノール、アセトン、トルエン、イソプロパノール、ヘキサン、ブタノール、シクロヘキサン、エチレングリコール、ベンゼン、クロロホルム、アセトアルデヒド、トリエチルアミン、フェノール、ナフタレン、ホルムアルデヒド、テトラヒドロフラン又は酢酸エチルのいずれかの液体又はこれらを１０％以上含む液体である請求項１又は２に記載の処理方法。
【請求項４】
鉛直向きに配置されたシリンダ、前記シリンダ内において上下方向に摺動するピストン、及び先端に吸入・吐出口をもちその吸入・吐出口が下方を向くように前記シリンダの下端に装着されたチップを備え、前記ピストンの動作に応じて前記チップの前記吸入・吐出口からの液の吸入と吐出を行なうピペットと、
前記ピペットを動作させる駆動機構と、
揮発性液体を収容した揮発性液体容器と、
前記揮発性液体よりも揮発性の低い低揮発性液体を収容した低揮発性液体容器と、
前記駆動機構を制御する制御部と、を備え、
前記制御部は、前記ピペットによって前記揮発性液体を吸入する過程において、前記低揮発性液体容器から予め設定された量の前記低揮発性液体を吸入する低揮発性液体吸入動作、前記低揮発性液体吸入動作の後で前記吸入・吐出口から予め設定された量の空気を吸入する空気吸入動作、及び前記空気吸入動作の後で前記揮発性液体容器から所定量の前記揮発性液体を吸入する揮発性液体吸入動作が実行されるように前記駆動機構を制御するように構成されている液体処理装置。
【請求項５】
前記低揮発性液体は、水、ジメチルスルホキシド、グリセリン又はフェノールのいずれかである請求項４に記載の液体処理装置。
【請求項６】
前記揮発性液体は、アセトニトリル、メタノール、エタノール、アセトン、トルエン、イソプロパノール、ヘキサン、ブタノール、シクロヘキサン、エチレングリコール、ベンゼン、クロロホルム、アセトアルデヒド、トリエチルアミン、フェノール、ナフタレン、ホルムアルデヒド、テトラヒドロフラン又は酢酸エチルのいずれかの液体又はこれらを１０％以上含む液体である請求項４又は５に記載の液体処理装置。
【手続補正２】
【補正対象書類名】明細書
【補正対象項目名】００１３
【補正方法】変更
【補正の内容】
【００１３】
本発明における低揮発性液体とは、沸点が９５℃以上であり、常温（２０℃±１５℃）で液体の状態である物質のことを意味する。そのような低揮発性液体として、例えば、水、ジメチルスルホキシド、グリセリン、フェノールが挙げられる。
【手続補正３】
【補正対象書類名】明細書
【補正対象項目名】００２５
【補正方法】変更
【補正の内容】
【００２５】
低揮発性液体容器１８に収容される低揮発性液体としては、水、ジメチルスルホキシド、グリセリン、フェノールが挙げられる。低揮発性液体容器１８に収容された低揮発性液体は、ピペット２によって上記の揮発性液体を測り採る際に用いられる。
【国際調査報告】
2018139132.tif 000015
2018139132.tif 000016
2018139132.tif 000017